(57)【要約】【課題】面発光モジュール(発光部)が器具本体から脱落し難くする。【解決手段】地震などによって大きな揺れ(振動)が面発光モジュール１に加わった場合、発光部２がスライド移動して第２係合部221と第２被係合部312との係合が外れてしまう可能性がある。しかしながら、本実施形態の照明器具では、器具本体４の下方にカバー５が配置されているので、第２係合部221と第２被係合部312との係合が外れたとしても、発光部２がカバー５に当たることでベース部３(器具本体４)から脱落し難くなる。【選択図】        図１
2013161614.tif 000002
【特許請求の範囲】
【請求項１】
壁や天井などの取付面に取り付けられる器具本体と、前記器具本体に保持される１乃至複数の面発光モジュールと、前記面発光モジュールの発光面に対向して前記器具本体に保持されるカバーとを備え、前記面発光モジュールは、発光体を有する発光部と、前記器具本体に固定され、且つ弾性力によって前記発光部を着脱自在に保持するベース部とで構成され、前記カバーは、少なくとも前記面発光モジュールの発光面に対向する部位が透光性を有する材料で形成され、且つ前記弾性力よりも強い力で前記器具本体に保持されることを特徴とする照明器具。
【請求項２】
前記カバーは、前記面発光モジュールの発光面から離れた状態で前記器具本体に保持されることを特徴とする請求項１記載の照明器具。
【請求項３】
複数の前記面発光モジュールは、前記発光面同士が隙間を空けて並ぶように前記器具本体に保持され、前記カバーは、前記隙間と対向する部位の光透過率が、前記発光面に対向する部位の光透過率よりも小さくなるように形成されることを特徴とする請求項１又は２記載の照明器具。
【発明の詳細な説明】
【技術分野】
【０００１】
本発明は、照明器具に関する。
【背景技術】
【０００２】
近年、照明用の光源として有機ＥＬ(エレクトロルミネセンス)素子を利用した面発光光源が注目されている。例えば、特許文献１には、面発光光源として有機ＥＬパネルを用いた照明器具が開示されている。
【０００３】
特許文献１記載の従来例は、有機ＥＬパネルを含む面発光モジュールと、面発光モジュールがほぼ隙間なく嵌め込まれる収容部とが器具本体に設けられている。収容部底面の対向する二辺には、電気回路を介して外部電源に接続されている正極給電端子と負極給電端子がそれぞれ設けられている。また、収容部の対向する２つの内側面には、面発光モジュールの各側面の両端にそれぞれ形成されている係止穴に係合可能な突起が設けられている。収容部の対向する他の２つの内側面の一方には、収容部の内外に進退可能な鉤状の係止片が設けられている。この係止片は、バネによって収容部の内側面から突出向きに常時弾性付勢されている。さらに、収容部の周囲には、上記バネによる付勢に抗して係止片を変位させ、係止片を収容部の内側面の内側に後退させるための操作片が設けられている。
【０００４】
而して、収容部内に設けられている突起が面発光モジュールの任意の角に設けられている係止穴に係合されると、面発光モジュールが、突起を介して器具本体に連結されるとともに、突起を回転軸として回動可能となる。その後、面発光モジュールが収容部の側に向けて回動させられると、面発光モジュールの裏面が係止片に当接する。さらに面発光モジュールが収容部の側に向けて回動させられると、係止片が上記バネの付勢に抗して収容部の内側面の内側に押し込まれ、面発光モジュールが収容部内に収容される。面発光モジュールの各側面には、係止片を受け入れ可能な係止溝が形成されている。よって、上記のようにして面発光モジュールが収容部の内側に収容されると、バネによって常時付勢されている係止片が再び収容部の内側に突出し、係止溝内に進入する。これにより、面発光モジュールは、一方で突起により保持され、他方で係止片によって保持され、収容部内に固定される。
【０００５】
また、器具本体から面発光モジュールが取り外されるときには、操作片がスライドされ、係止片がバネの付勢に抗して後退することにより、面発光モジュールの係止溝から離脱させられる。器具本体が天井に取り付けられている場合、面発光モジュールが自重によって下方に回動する。その結果、面発光モジュールと収容部との間に隙間が生じ、面発光モジュールが器具本体から取り外し可能となる。
【先行技術文献】
【特許文献】
【０００６】
【特許文献１】特開２０１１−２４３４６１号公報
【発明の概要】
【発明が解決しようとする課題】
【０００７】
しかしながら、特許文献１記載の従来例では、地震などが原因で器具本体に大きな振動が加わった場合、面発光モジュールがバネの付勢に抗して移動してしまい、係止片が係止溝から離脱する可能性がある。そして、係止片が係止溝から離脱した場合、面発光モジュールが器具本体の収容部から脱落してしまう虞がある。
【０００８】
本発明は、上記課題に鑑みて為されたものであり、面発光モジュールが器具本体から脱落し難くすることを目的とする。
【課題を解決するための手段】
【０００９】
本発明の照明器具は、壁や天井などの取付面に取り付けられる器具本体と、前記器具本体に保持される１乃至複数の面発光モジュールと、前記面発光モジュールの発光面に対向して前記器具本体に保持されるカバーとを備え、前記面発光モジュールは、発光体を有する発光部と、前記器具本体に固定され、且つ弾性力によって前記発光部を着脱自在に保持するベース部とで構成され、前記カバーは、少なくとも前記面発光モジュールの発光面に対向する部位が透光性を有する材料で形成され、且つ前記弾性力よりも強い力で前記器具本体に保持されることを特徴とする。
【００１０】
この照明器具において、前記カバーは、前記面発光モジュールの発光面から離れた状態で前記器具本体に保持されることが好ましい。
【００１１】
この照明器具において、複数の前記面発光モジュールは、前記発光面同士が隙間を空けて並ぶように前記器具本体に保持され、前記カバーは、前記隙間と対向する部位の光透過率が、前記発光面に対向する部位の光透過率よりも小さくなるように形成されることが好ましい。
【発明の効果】
【００１２】
本発明の照明器具は、地震などの大きな振動が加わることより、面発光モジュールの発光部がベース部に保持されなくなったとしても、面発光モジュールの発光面と対向し、発光部がベース部に保持されるための弾性力よりも強い力で器具本体に保持されるカバーを備えているので、面発光モジュール(発光部)が器具本体から脱落し難くなるという効果がある。
【図面の簡単な説明】
【００１３】
【図１】本発明に係る照明器具の実施形態１を示し、(ａ)は下面図、(ｂ)は側面図、(ｃ)は側面図である。
【図２】同上が埋込配設された状態の側面図である。
【図３】同上が埋込配設された状態の下面図である。
【図４】同上の別の形態を示し、(ａ)は下面図、(ｂ)は側面図である。
【図５】本発明に係る照明器具の実施形態２を示し、(ａ)は下面図、(ｂ)は側面図である。
【図６】本発明に係る照明器具の実施形態３を示し、(ａ)は下面図、(ｂ)は上面図である。
【図７】本発明に係る照明器具の実施形態４を示す斜視図である。
【図８】同上を示し、(ａ)は正面図、(ｂ)は上面図、(ｃ)は下面図である。
【図９】本発明に係る照明器具の実施形態１〜４に用いられる面発光モジュールの分解斜視図である。
【図１０】同上の面発光モジュールの装着途中の平面図である。
【発明を実施するための形態】
【００１４】
以下、図面を参照して、本発明に係る照明器具の実施形態を詳細に説明する。ただし、照明器具の実施形態を説明する前に、各実施形態で共通に使用される面発光モジュール１について説明する。
【００１５】
面発光モジュール１は、図９に示すように発光体20、配線基板21、ケースボディ22、ケースカバー23などを備えた発光部２と、発光部２を着脱自在に保持するベース部３とで構成される。ただし、以下の説明では、図９において上下左右前後の各方向を定める。
【００１６】
発光体20は、平板状に形成された有機エレクトロルミネセンス素子からなる。配線基板21は、ケースボディ22と対向する上面に設けられる一対の端子部210、発光体20の電極(正極及び負極)を端子部210に接続するための導電パターン(図示せず)などを有する。なお、両面に接着剤が塗布されたテープにより、発光体20の非発光面(上面)に配線基板21が貼り付けられる。
【００１７】
ケースボディ22は、全体として扁平な矩形箱状であって、中央に凹所が設けられている。また、ケースボディ22の上面における左端部には、一対の第１係合部220が設けられ、ケースボディ22の上面における右端部には、第２係合部221が設けられている。第１係合部220は、ケースボディ22の上面より上向き及び左向きに突出する鈎形に形成されている。第２係合部221は、ケースボディ22の上面より上向き及び右向きに突出する鈎形に形成されている。さらに、ケースボディ22の上面における右端部には、第２係合部221の前方及び後方にそれぞれ矩形の貫通孔222が設けられている。
【００１８】
ケースカバー23は、透光性を有する合成樹脂材料により、上面に開口する扁平な矩形箱状に形成されている。ケースカバー23は、発光体20の発光面と対向する矩形の底板230と、底板230の周縁から上向きに立ち上がる側壁231とが一体に形成されてなる。また、側壁231の外側面には、それぞれ２つの係合突起232が突設されている。
【００１９】
一方、ケースボディ22の側壁の内周面には、ケースカバー23の係合突起232と係合する係合溝(図示せず)が設けられている。そして、底板230上に発光体20と配線基板21が載置されたケースカバー23に、上方からケースボディ22が被せられ、ケースボディ22の係合溝にケースカバー23の係合突起232が係合することでケースボディ22とケースカバー23が結合される。ここで、ケースボディ22に設けられている貫通孔222に、配線基板21の端子部210の一部(上向きに突出する板状の部分)が挿通される。なお、ケースボディ22とケースカバー23が結合されたものをケースと呼ぶ。
【００２０】
ベース部３は、回路基板30、ハウジング31、端子受け部32、保護カバー33などを備える。回路基板30は、発光体20に直流電力を供給したり、外部から供給される調光信号に応じて発光体20への直流電力の供給量を調整するための電子回路や、外部電源に接続される給電用コネクタ300や調光信号が入力される信号入力用コネクタ301などが実装されている。なお、上記電子回路と給電用コネクタ300及び信号入力用コネクタ301は、回路基板30の表面に形成される導電パターン(図示せず)によって接続される。
【００２１】
端子受け部32は、帯状の金属板が屈曲されてなり、一方の端部(左端部)で回路基板30に固定され、他方の端部(右端部)が、ケースボディ22の貫通孔222に挿通された配線基板21の端子部210の一部と接触導通する。すなわち、回路基板30に実装された電子回路は、端子受け部32と端子部210を介して発光体20と電気的に接続される。
【００２２】
ハウジング31は、全体が矩形平板状に形成され、回路基板30が収納される凹所310が中央に設けられている。また、ハウジング31の右端部には、ケースボディ22の貫通孔222から突出する端子部210の一部がそれぞれ挿通される一対の孔311が設けられている。さらに、ハウジング31の左端部の下面側に、ケースボディ22の一対の第１係合部220と係合する一対の第１被係合部(図示せず)が設けられている。またさらに、ハウジング31の右端部の下面側には、ケースボディ22の第２係合部221と係合する第２被係合部312が設けられている。回路基板30は、ハウジング31の凹所310内に収納されてねじで固定される。保護カバー33は矩形板状に形成され、凹所310内に収納された回路基板30を覆うようにハウジング31の上面に固定される。
【００２３】
最後に、発光部２がベース部３に装着される手順について、図10を参照して説明する。なお、ベース部３は、後述するように予め照明器具の器具本体に取り付けられる。
【００２４】
まず、第１係合部220がベース部３の第１被係合部に係合された後、ベース部３に対して発光部２が外向き(左向き)にスライド移動される。続いて、第１係合部220を支点として、第２係合部221と第２被係合部312が左右方向に対向する位置まで、発光部２がベース部３に近付く向きに回動される。そして、発光部２に対して左向きに加えられていた押力が除かれると、第１係合部220の弾性力で発光部２が内向き(右向き)にスライド移動し、第２係合部221と第２被係合部312とが係合する。すなわち、発光部２は、第１係合部220並びに第２係合部221の弾性力によってベース部３に保持される。なお、発光部２が外向きにスライド移動されて第２係合部221と第２被係合部312との係合が外れれば、ベース部３から発光部２が取り外し可能となる。
【００２５】
(実施形態１)
本実施形態の照明器具は、図１に示すように天井に埋込配設される器具本体４と、器具本体４に保持される複数(図示例では24個)の面発光モジュール１と、器具本体４に保持されるカバー５とを備える。
【００２６】
器具本体４は、鋼板などの金属材料により、下面が開口した長尺の矩形箱状に形成されている。また、断面形状がＬ形の枠部40が器具本体４の下端に全周に渡って設けられている。
【００２７】
器具本体４の内部には、面発光モジュール１のベース部３が取り付けられる取付板41が収納されている。取付板41は、器具本体４の下面(開口面)と対向する矩形平板状の取付部410と、取付部410の周縁から全周に亘って外向きに突出する外鍔部411とが一体に形成されてなる。そして、外鍔部411が固定ねじ412によって器具本体４の枠部40にねじ止めされる。なお、取付部410の下面(取付面)は、外鍔部411の下面よりも面発光モジュール１の厚みとほぼ同程度まで上方に位置している。したがって、取付部410に取り付けられた面発光モジュール１の下面(ケースカバー23の表面)と、外鍔部411の下面とがほぼ同一平面上に位置することになる。
【００２８】
面発光モジュール１のベース部３は、取付板41の取付部410の下面に、長手方向に沿って12個ずつ且つ短手方向に２個ずつ並ぶようにねじ止めされる。ただし、短手方向に並ぶ２個のベース部３の間には、ベース部３に発光部２が装着される際、ベース部３に対して発光部２をスライド移動可能とするスペース(間隔)が設けられている。
【００２９】
カバー５は、アクリル樹脂やポリカーボネート樹脂などの透光性を有する合成樹脂によって長尺の矩形平板状に形成されている。また、カバー５の長手方向及び短手方向のそれぞれの寸法は、器具本体４の枠部40を含む長手方向及び短手方向の寸法よりも大きくなっている。さらに、カバー５は、短手方向の両端部に、それぞれ４つのボルト挿通孔(図示せず)が長手方向に沿って等間隔に設けられている。
【００３０】
一方、器具本体４の枠部40には、短手方向の両端部に、それぞれ４つのボス部400が長手方向に沿って等間隔に並ぶように下向きに突設されている。また、これらボス部400の間隔は、カバー５に設けられているボルト挿通孔の間隔に一致している。なお、ボス部400は円筒形であって、カバー５のボルト挿通孔に挿通されるボルト50が挿通される。
【００３１】
次に、本実施形態の照明器具を天井に埋込配設する際の施工手順について説明する。まず、取付面である天井100に矩形の埋込孔101が設けられる。
【００３２】
続いて、天井裏に配設されている一対の吊りボルト(図示せず)が、器具本体４の底面(上面)に設けられているボルト挿通孔(図示せず)に挿通される。そして、ポルト挿通孔に挿通された各吊りボルトにナット(図示せず)が締め付けられることで器具本体４が吊りボルトに取り付けられる。このとき、器具本体４の枠部40が、下方から天井100に当たって接している。
【００３３】
ここで、器具本体４の内側面には複数本の紐６の一端が結び付けられている。そして、これら複数本の紐６の他端が取付板41に結び付けられることにより、面発光モジュール１のベース部３が取り付けられた取付板41が複数本の紐６によって器具本体４に吊り下げられる。取付板41が器具本体４に吊り下げられた状態で、ベース部３の回路基板30に実装されている給電用コネクタ300及び信号入力用コネクタ301にそれぞれ電源線及び調光信号線(図示せず)が接続される。
【００３４】
続いて、取付板41の取付部410が器具本体４内に収納され、外鍔部411が固定ねじ412によって器具本体４の枠部40にねじ止めされる。なお、外鍔部411には、枠部40のボス部400が挿通される貫通孔(図示せず)が設けられている。
【００３５】
取付板41が器具本体４に固定された後、取付板41に取り付けられている複数のベース部３に、それぞれ発光部２が装着される。そして、発光部２がベース部３に装着されることにより、発光モジュール１が器具本体４に保持される。
【００３６】
最後に、カバー５が器具本体４の下側に取り付けられる。すなわち、カバー５のボルト挿通孔に挿通されたボルト50が枠部40の各ボス部400に挿通され、枠部40の内側に配設されているナット51に締め付けられることにより、器具本体４にカバー５が保持される。
【００３７】
上述のようにして天井100に埋込配設された照明器具において、地震などによって大きな揺れ(振動)が面発光モジュール１に加わった場合、発光部２がスライド移動して第２係合部221と第２被係合部312との係合が外れてしまう可能性がある。しかしながら、本実施形態の照明器具では、器具本体４の下方にカバー５が配置されているので、第２係合部221と第２被係合部312との係合が外れたとしても、発光部２がカバー５に当たることでベース部３(器具本体４)から脱落し難くなる。ここで、カバー５が器具本体４の枠部40にねじ止めされているため、面発光モジュール１が器具本体４に保持される保持力(実際は発光部２がベース部３に保持される保持力)よりも、カバー５が器具本体４に保持される保持力の方が強くなる。故に、発光部２の第２係合部221とベース部３の第２被係合部312との係合が外れる前に、カバー５が器具本体４から脱落することは、通常、起こり得ない。
【００３８】
ところで、面発光モジュール１には発光面の周囲に非発光部(図１(ａ)における二点破線の外側部分)が存在するため、発光面同士が隙間を空けて並ぶことになり、照明器具としての見栄えが良くないという問題がある。そのために本実施形態では、器具本体４の枠部40にボス部400を突設することにより、器具本体４の下面(面発光モジュール１の発光面)から離れた状態でカバー５が器具本体４に保持されるようにしている。これにより、面発光モジュール１から放射される光の一部がカバー５の上面と面発光モジュール１の発光面との間で繰り返し反射されることなる。その結果、カバー５の下面と面発光モジュール１の発光面とが接している場合と比較して、発光面と非発光部との境界が目立ち難くなり、照明器具としての見栄えを向上することができる。
【００３９】
さらに、隣り合う面発光モジュール１の発光面同士の隙間、すなわち、上記非発光部と対向する部位の光透過率が、発光面に対向する部位の光透過率よりも小さくなるようにカバー５が形成されてもよい。例えば、図１(ａ)に示すように、カバー５の前面においてハッチングされた範囲に塗料が塗布されるか、あるいは凹凸が形成されることで光透過率が小さくできる。ただし、図１(ａ)に示す構成では、面発光モジュール１の発光面の周縁部分と対向する位置の光透過率も小さくされているが、面発光モジュール１の発光面と対向する位置の光透過率が小さくならないようにしてもよい。
【００４０】
上述のように、非発光部と対向する部位の光透過率が、発光面に対向する部位の光透過率よりも小さくなるようにカバー５が形成されれば、カバー５全体の光透過率が均一で在る場合と比較して、発光面と非発光部との境界が目立ち難くなり、照明器具としての見栄えを向上することができる。
【００４１】
ここで、図２及び図３に示すように複数台の照明器具が長手方向に一列に並べて天井に埋込配設される場合がある。この場合、図２に示すように隣り合う照明器具の器具本体４は、互いの枠部40を突き合わせるようにして配置される。しかしながら、カバー５は熱膨張によって長手方向の寸法が変化する可能性が高いので、図２に示すように隣り合う照明器具のカバー５同士の間に隙間Ｇを空けることが望ましい。
【００４２】
また、複数個の面発光モジュール１は、必ずしも器具本体４に対して長手方向に沿って２列に並べて保持される必要は無い。例えば、図４に示すように複数個(図示例では８個)の面発光モジュール１が器具本体４に対して長手方向に沿って１列に並べて保持されても構わない。
【００４３】
また、面発光モジュール１の発光面と非発光部との境界を目立ち難くするためには、カバー５の縦横寸法が器具本体４の開口面(下面)の縦横寸法よりも大きいことが望ましい。ただし、図４(ａ)に示すように壁に近い側(図４(ａ)における上側)のカバー５の幅寸法を短くすれば、照明器具を天井の壁際に設置することができる。
【００４４】
(実施形態２)
本実施形態の照明器具は、図５に示すように器具本体４の形状に特徴がある。ただし、器具本体４の形状以外の構成は実施形態１と共通であるから、形状が異なっていても機能が共通する構成要素については、実施形態１と共通の符号を付して説明を省略する。
【００４５】
本実施形態における器具本体４は、図５に示すように下面が正方形状に開口した矩形箱形に形成されている。そして、取付板41には、縦横に２個ずつで合計４個の面発光モジュール１が取り付けられる。ただし、図４(ａ)において上下方向に並ぶ２個の面発光モジュール１の間には、ベース部３に発光部２が装着される際、ベース部３に対して発光部２をスライド移動可能とするスペース(間隔)が設けられている。
【００４６】
そして、本実施形態においても器具本体４の下面側にカバー５が配置されているので、発光部２がベース部３から脱落し難くなっている。また、図５(ａ)に示すように、カバー５の前面においてハッチングされた範囲に塗料が塗布されるか、あるいは凹凸が形成されることで光透過率が小さくされている。したがって、発光面と非発光部との境界が目立ち難くなり、照明器具としての見栄えが向上する。
【００４７】
(実施形態３)
本実施形態の照明器具は、図６に示すように器具本体４の形状に特徴がある。ただし、器具本体４の形状以外の構成は実施形態１と共通であるから、形状が異なっていても機能が共通する構成要素については、実施形態１と共通の符号を付して説明を省略する。
【００４８】
本実施形態における器具本体４は、図６に示すように長手方向に沿って弧状に湾曲した箱形に形成されている。そして、取付板41には、４個の面発光モジュール１が周方向に沿って等間隔に並べて取り付けられる。
【００４９】
本実施形態の照明器具は、例えば、円筒形の柱110を囲むように天井に埋込配設される。なお、図６では４台の照明器具が周方向に並べて埋込配設される場合を例示しているが、設置場所の条件等により、１台から５台までの任意の台数の照明器具が設置可能である。
【００５０】
そして、本実施形態においても器具本体４の下面側にカバー５が配置されているので、発光部２がベース部３から脱落し難くなっている。また、図６(ａ)に示すように、カバー５の前面においてハッチングされた範囲に塗料が塗布されるか、あるいは凹凸が形成されることで光透過率が小さくされている。したがって、発光面と非発光部との境界が目立ち難くなり、照明器具としての見栄えが向上する。ただし、隣り合う照明器具のカバー５同士の間には隙間Ｇが設けられる。
【００５１】
(実施形態４)
実施形態１〜３の照明器具は天井に埋込配設されるものであった。これに対して本実施形態の照明器具は、壁に取り付けられるブラケット型の照明器具である。ただし、形状が異なっていても実施形態１の照明器具と機能が共通する構成要素については、実施形態１と共通の符号を付して適宜説明を省略する。
【００５２】
本実施形態の照明器具は、図７及び図８に示すように器具本体７、３個の面発光モジュール１、カバー５などを備える。器具本体７は、壁に取り付けられる本体部70と、面発光モジュール１を保持する保持部71と、保持部71の周囲を覆う透明カバー72とを有する。
【００５３】
本体部70は、底面を台形とする四角柱状に形成され、最も面積の大きい側面が壁に取り付けられる。保持部71は、扁平な矩形箱形に形成され、長手方向に沿った側端部分で本体部70と結合されている。すなわち、本体部70が壁に取り付けられた状態において、保持部71は、厚み方向が上下方向と一致する向きで本体部70の前方に突出する(図７参照)。
【００５４】
保持部71は、長手方向(図８における左右方向)に沿って一列に並ぶように３個の面発光モジュール１を保持する。ただし、両端の２個の面発光モジュール１は、発光面を下向きにして保持されるが、中央の１個の面発光モジュール１は、発光面を上向きにして保持される。
【００５５】
透明カバー72は、アクリル樹脂などの透光性を有する合成樹脂からなり、図８(ｂ)に示すように保持部71の周囲を囲むように配設される。
【００５６】
カバー５は、アクリル樹脂などの透光性を有する合成樹脂によって矩形平板状に形成され、器具本体７の下面に取り付けられる。
【００５７】
而して、本実施形態においても器具本体７の下面側にカバー５が配置されているので、面発光モジュール１の発光部２がベース部３から脱落し難くなっている。
【符号の説明】
【００５８】
１  面発光モジュール
２  発光部
３  ベース部
４  器具本体
５  カバー
【図１】
2013161614.tif 000003
【図２】
2013161614.tif 000004
【図３】
2013161614.tif 000005
【図４】
2013161614.tif 000006
【図５】
2013161614.tif 000007
【図６】
2013161614.tif 000008
【図７】
2013161614.tif 000009
【図８】
2013161614.tif 000010
【図９】
2013161614.tif 000011
【図１０】
2013161614.tif 000012